(57)【要約】【課題】  オペアンプの飽和による遅延を解消するとともに、クリップレベルを高い自由度で設定でき、ディフェクト部の信号波形を安定してクリップすることのできるクリップ回路を提供する。【解決手段】  帰還型のクリップ回路２のオペアンプ１１の出力に、オペアンプ１１に帰還がかからない期間でのオペアンプ１１の飽和を抑制するように働く負荷ＲＬを接続した。また、負荷ＲＬは、再生データ信号の最長波長８Ｔ（１２１ｎｓ）より長くなるように選定することによって、再生ＲＦ信号のピークとボトムとの間のレベルでクリップを行うことが可能となる。【選択図】図１
2006114075.tif 000002
【特許請求の範囲】
【請求項１】
光ディスクからの反射光に対応するＲＦ信号を再生するＲＦ信号再生手段と、
前記再生されたＲＦ信号を入力し、この入力信号のレベルと基準レベルとを比較するオペアンプを有し、入力信号のレベルと基準レベルとの比較結果に基づいて前記オペアンプに帰還をかけて前記入力信号の波形をクリップするクリップ手段と、
前記オペアンプに帰還がかからない期間での前記オペアンプの飽和を抑制するように当該オペアンプの出力に接続された負荷と
を具備することを特徴とする光ディスク装置。
【請求項２】
前記クリップ手段は、入力信号のレベルが基準レベルより低くなったとき、前記オペアンプに帰還をかけることを特徴とする請求項１に記載の光ディスク装置。
【請求項３】
前記クリップ手段は、入力信号のレベルが基準レベルより高くなったとき、前記オペアンプに帰還をかけることを特徴とする請求項１に記載の光ディスク装置。
【請求項４】
前記負荷は、再生データ信号の最長波長より長くなるように選定されていることを特徴とする請求項１に記載の光ディスク装置。
【請求項５】
前記ＲＦ信号再生手段により再生されたＲＦ信号のレベルを正規化して前記クリップ回路の前記オペアンプに入力する手段をさらに具備することを特徴とする請求項１に記載の光ディスク装置。
【請求項６】
再生されたＲＦ信号を入力し、この入力信号のレベルと基準レベルとを比較するオペアンプを有し、入力信号のレベルと基準レベルとの比較結果に基づいて前記オペアンプに帰還をかけて前記入力信号の波形をクリップするクリップ回路であって、
前記オペアンプに帰還がかからない期間での前記オペアンプの飽和を抑制するように当該オペアンプの出力に接続された負荷を有することを特徴とするクリップ回路。
【請求項７】
入力信号のレベルが基準レベルより低くなったとき、前記オペアンプに帰還をかけることを特徴とする請求項６に記載のクリップ回路。
【請求項８】
入力信号のレベルが基準レベルより高くなったとき、前記オペアンプに帰還をかけることを特徴とする請求項６に記載のクリップ回路。
【請求項９】
前記負荷は、再生データ信号の最長波長より長くなるように選定されていることを特徴とする請求項６に記載のクリップ回路。
【発明の詳細な説明】
【技術分野】
【０００１】
本発明は、光ディスクの再生を行う光ディスク装置と、再生ＲＦ信号の波形を特定のレベルでクリップするクリップ回路に関する。
【背景技術】
【０００２】
近年、ブルーレイディスク（Ｂｌｕ−ｒａｙ  Ｄｉｓｋ）にデータを記録再生する光ディスク装置が出現している。ブルーレイディスクによれば、波長４０５ｎｍの青紫色レーザと、開口数（ＮＡ）０．８５の対物レンズに加えて、光透過保護層厚０．１ミリメートルのディスク構造を採用することにより、直径１２ｃｍの書き換え可能な相変化光ディスクの片面に最大２７ＧＢのデータを記録することができる。
【０００３】
ブルーレイディスクでは、ＤＶＤに比べて、記録密度が約５倍、ディスクの光透過保護層が約１／７であるためディスク表面の欠陥（ディフェクト）の影響を受けやすい。そこで、ＥＣＣ（Ｅｒｒｏｒ  Ｃｏｒｒｅｃｔｉｏｎ  Ｃｏｄｅ）のエラー訂正能力を高くするために、１ＥＣＣブロックのサイズを、ブルーレイディスクの記録再生単位であるＲＵＢ（Ｒｅｃｏｒｄｉｎｇ  Ｕｎｉｔ  Ｂｌｏｃｋ）と同じ大きさである６４ＫＢｙｔｅと大きくしてある。
【０００４】
また、装置側の対策としては、ディフェクトを何らかの方法で検出し、検出したディフェクト信号に基づいて、再生ＲＦ信号をそのピークやボトムのレベルでクランプしたり、ＡＧＣを高速に応答させ、さらにディフェクト部ではＡＧＣやＰＬＬをホールドして、その影響を除去している。
【０００５】
ディフェクトの検出には、再生ＲＦ信号のレベルの低下をもってディフェクトを検出する方法、再生ＲＦ信号をＬＰＦで減衰させた後、その再生ＲＦ信号の平均レベルから逸脱した信号をコンパレータで検出する方法などが採用されているが、これらの方法はいずれも１．０μｓ以上の遅延を伴う。この遅延分のディフェクト信号は後段の信号処理回路へ入力され、再生エラーを発生させる要因となる。特に、ＴｒＴｆ（立上り／立下り時間）の小さなディフェクトやレベルの大きなディフェクトではその影響は大きい。
【０００６】
そこで、クリップ回路を用いてＲＦ信号の波形を特定レベルでクリップすることで、ディフェクトによる再生ＲＦ信号のＤＣ変動を抑制する方法が注目されている。従来のクリップ回路としては、図１６に示すように、ハイゲイン・アンプを使用した帰還型のもの（例えば特許文献１を参照）、図１７に示すように、ダイオードのＶＦ（低順方向電圧）利用したもの、図１８に示すように、トランジスタのベース−エミッタ間電圧(ＶＢＥ)を利用したもの、図１９および図２０に示すように、差動トランジスタの飽和特性を利用したもの、などがある。  
【特許文献１】特開平１１−３０６６８６号公報（段落００５８、図７）
【発明の開示】
【発明が解決しようとする課題】
【０００７】
しかしながら、図１６に示したハイゲイン・アンプを使用した帰還型クリップ回路は、クリップレベルは安定であるが、クリップオフ時にアンプが飽和するので、復帰に長い時間（例えば２．０μｓ以上）がかかってしまい、その復帰時間分のディフェクト部の信号が残ってしまう。図１７に示したダイオード・クリップ回路および図１８に示したトランジスタ・クリップ回路では、温度によって特性が大きく変動し、安定したクリップが困難である。また、図１９および図２０に示した差動トランジスタの飽和特性を利用したものは、クリップレベルの設定の自由度が低いという問題があった。
【０００８】
本発明は前記事情に鑑み案出されたものであって、オペアンプの飽和による遅延を解消できるとともに、クリップレベルを高い自由度で設定でき、ディフェクト部の信号波形を安定してクリップすることのできる光ディスク装置およびクリップ回路を提供することを目的としている。
【課題を解決するための手段】
【０００９】
本発明は上記目的を達成するため、この発明の光ディスク装置は、光ディスクからの反射光に対応するＲＦ信号を再生するＲＦ信号再生手段と、再生されたＲＦ信号を入力し、この入力信号のレベルと基準レベルとを比較するオペアンプを有し、入力信号のレベルと基準レベルとの比較結果に基づいて前記オペアンプに帰還をかけて入力信号の波形をクリップするクリップ手段と、オペアンプに帰還がかからない期間でのオペアンプの飽和を抑制するように当該オペアンプの出力に接続された負荷とを具備するものである。
【００１０】
すなわち、この発明の光ディスク装置によれば、オペアンプの出力に、オペアンプに帰還がかからない期間での飽和を抑制するように働く負荷を接続したことで、オペアンプの飽和による遅延を解消できるとともに、クリップレベルを高い自由度で設定でき、ディフェクト部の信号波形を安定してクリップすることができる。
【００１１】
また、本発明の光ディスク装置において、クリップ手段は、入力信号のレベルが基準レベルより低くなったとき、オペアンプに帰還をかけるように構成してもよい。これにより、ディスク表面のディフェクトによりオペアンプの基準レベルより低いレベルに落ち込んだ信号の波形をクリップすることができる。
【００１２】
あるいは、本発明の光ディスク装置において、クリップ手段は、入力信号のレベルが基準レベルより高くなったとき、オペアンプに帰還をかけるように構成することも可能である。これにより、ディスク表面のディフェクトによりオペアンプの基準レベルより高く突き出た信号の波形をクリップすることができる。
【００１３】
さらに、本発明の光ディスク装置において、負荷は、再生データ信号の最長波長より長くなるように選定されてもよい。これにより、再生ＲＦ信号のピークとボトムとの間のレベルでクリップを行うことが可能となる。
【００１４】
さらに、本発明の光ディスク装置は、ＲＦ信号再生手段により再生されたＲＦ信号のレベルを正規化してクリップ回路のオペアンプに入力する正規化手段をさらに具備するものとしてもよい。これにより、クリップ回路のオペアンプの基準レベルに対して最適なレベルのＲＦ信号が得られる。
【００１５】
また、本発明の別の観点に基づくクリップ回路は、再生されたＲＦ信号を入力し、この入力信号のレベルと基準レベルとを比較するオペアンプを有し、入力信号のレベルと基準レベルとの比較結果に基づいてオペアンプに帰還をかけて入力信号の波形をクリップするクリップ回路であって、オペアンプに帰還がかからない期間でのオペアンプの飽和を抑制するように当該オペアンプの出力に接続された負荷を有するものである。
【００１６】
すなわち、この発明のクリップ回路によれば、オペアンプの出力に、オペアンプに帰還がかからない期間での飽和を抑制するように働く負荷を接続したことで、オペアンプの飽和による遅延を解消できるとともに、クリップレベルを高い自由度で設定でき、ディフェクト部の信号波形を安定してクリップすることができる。
【００１７】
また、本発明のクリップ回路は、入力信号のレベルが基準レベルより低くなったとき、オペアンプに帰還をかけるように構成してもよい。これにより、ディスク表面のディフェクトによりオペアンプの基準レベルより低いレベルに落ち込んだ信号の波形をクリップすることができる。
【００１８】
あるいは、本発明のクリップ回路は、入力信号のレベルが基準レベルより高くなったとき、オペアンプに帰還をかけるように構成することも可能である。これにより、ディスク表面のディフェクトによりオペアンプの基準レベルより高く突き出た信号の波形をクリップすることができる。
【００１９】
さらに、本発明のクリップ回路において、負荷は、再生データ信号の最長波長より長くなるように選定されてもよい。これにより、再生ＲＦ信号のピークとボトムとの間のレベルでクリップを行うことが可能となる。
【発明の効果】
【００２０】
本発明の光ディスク装置およびクリップ回路によれば、オペアンプの飽和による遅延を解消できるとともに、クリップレベルを高い自由度で設定でき、ディフェクト部の信号波形を安定してクリップすることができる。
【発明を実施するための最良の形態】
【００２１】
以下、本発明の実施の形態を図面を参照して説明する。
【００２２】
図１は本発明の一実施の形態に係る光ディスク装置の構成を示すブロック図である。
【００２３】
この光ディスク装置１０１は、ＤＶＤ±Ｒ／ＲＷ、ＣＤ−Ｒ／ＲＷ、ブルーレイディスクのような光ディスク１０２を回転駆動するスピンドルモータ１０３、ＰＤ（フォト・ディテクタ）１０４やレーザ光源１０５を有する光ピックアップ１０６、この光ピックアップ１０６を光ディスク１０２の半径方向に移動する送りモータ１０７、装置全体及び信号処理やサーボ制御などの個別制御を行うシステムコントローラ１０８、光ピックアップ１０６のＰＤ（フォト・ディテクタ）１０４から出力される各種の信号に基づいてフォーカスエラー信号、トラッキングエラー信号、ＲＦ信号を生成するプリアンプ１０９、ディスク表面のディフォルトによる再生ＲＦ信号のＤＣ変動を抑制するディフェクト処理回路１１０、信号の変調、復調及びＥＣＣの付加、ＥＣＣに基づくエラー訂正処理を行う信号変復調器&ＥＣＣ部１１１、スピンドルモータ１０３及び送りモータ１０７を駆動制御するサーボ制御部１１２、外部コンピュータ１３０を接続するためのインターフェース１１３、Ｄ／Ａ，Ａ／Ｄ変換器１１４、オーディオ・ビュジュアル処理部１１５、オーディオ・ビュジュアル信号入出力処理部１１６、レーザ光源１０５を駆動するレーザ制御部１１７、再生時に信号変復調器&ＥＣＣ部１１１から出力される再生ＲＦ信号を基に同期信号（クロック）を生成するＰＬＬ（Ｐｈａｓｅ  Ｌｏｃｋｅｄ  Ｌｏｏｐ）回路１１８を有している。
【００２４】
図２は図１の光ディスク装置のディフェクト処理回路１１０の構成を示す図である。
【００２５】
同図に示すように、ディフェクト処理回路１１０は、プリアンプ１０９から出力された再生ＲＦ信号のレベルをクリップなどの後段の処理に合わせて正規化するＡＧＣ（Ａｕｔｏｍａｔｉｃ  Ｇａｉｎ  Ｃｏｎｔｒｏｌ）アンプ１と、ＡＧＣアンプ１の出力に対して特定レベルでのクリップを行うクリップ回路２と、クリップ回路２の出力をＣ１のコンデンサとＲ１の抵抗により周波数分割する周波数分割回路３と、周波数分割回路３により分割された高域信号を通過させるＨＰアンプ４と、周波数分割回路３により分割された低域信号のレベルを制限する低域レベル制限アンプ５と、ＨＰアンプ４の出力と低域レベル制限アンプ５の出力とを加算する加算回路６と、加算回路６の出力の低域成分を除去するとともに、その出力に残留するＤＳ変動を抑制するようにＡＧＣをかけるＨＰＦ（Ｈｉｇｈ  Ｐａｓｓ  Ｆｉｌｔｅｒ）&ＡＧＣアンプ７と、ＨＰＦ&ＡＧＣアンプ７の出力から光ディスクの装置の光学系損失による高域減衰を補償するＥＱ（イコライザ）８と、ＥＱ８の出力をディジタル信号に変換するＡ／Ｄ変換器９とを備えている。
【００２６】
すなわち、このディフェクト処理回路１１０では、まず、プリアンプ１０９にて再生されたＲＦ信号のレベルがＡＧＣ回路１にて正規化された後、そのＲＦ信号は、クリップ回路２にて特定レベルでクリップが行われる。すなわち、再生ＲＦ信号において、光ディスク表面のディフェクト特にブラックベルト（再生ＲＦ信号のボトムよりマイナス側に落ち込んだ信号）やホワイトスポット（再生ＲＦ信号のピークよりプラス側に突き出た信号）などの低域のディフェクト部のレベルが制限される。これにより、ディフェクトによる再生ＲＦ信号のＤＣ変動を低減する。次に、クリップ回路の出力信号を、周波数分割素子３にて、低域たとえば指紋などの浅いディフェクトの周波数成分である５０ｋＨｚ以下の低域信号と、それより高い周波数すなわち記録データ成分を含む高域信号とに分割する。周波数分割素子３にて分割された高域信号はＨＰアンプ４を通過して加算回路５に入力される一方、低域信号は低域レベル制限アンプ５にて一定のレベル制限が行われて加算回路５に入力される。加算回路５では、ＨＰアンプ４を通過した高域信号と低域レベル制限アンプ５にて一定のレベル制限が行われた低域信号とが加算され、この結果、低周期の浅いディフェクトによるＤＣ変動がレベル制限分だけ抑制された再生ＲＦ信号が得られる。加算部６より出力された再生ＲＦ信号は、ＨＰＦ&ＡＧＣアンプ７にてＡＧＣをかけることでＤＣ変動のさらなる抑制が図られる。その後、ＥＱ（イコライザ）８にて光ディスクの装置の光学系損失による高域減衰が補償された信号が、Ａ／Ｄ変換器９にてディジタル化され、信号変復調器&ＥＣＣ部１１１に出力される。
【００２７】
図３は図２のディフェクト処理回路１１０におけるクリップ回路２の構成を示す図である。
【００２８】
同図に示すように、このクリップ回路２は高速なオペアンプ１１をレベル比較器として用いた帰還型クリップ回路である。このオペアンプ１１の反転入力には、ＡＧＣアンプ１の出力である再生ＲＦ信号が抵抗Ｒｓを介して接続され、非反転入力には基準レベル（ＲＥＦレベル）が接続されている。オペアンプ１１の出力はクリップ・ダイオード１２を介してオペアンプ１１の反転入力に帰還し得るように接続されている。すなわち、このクリップ回路２では、入力信号のレベルが基準レベル（ＲＥＦレベル）より低くなると、クリップ・ダイオード１２が導通して帰還がかかり、入力信号に対して基準レベルでのクリップが行われるようになっている。また、このクリップ回路２において、オペアンプ１１の出力には、オペアンプ１１に帰還がかからない期間でのオペアンプ１１の飽和を抑制するように働く負荷ＲＬが、この負荷ＲＬへの帰還信号の流れ込みを阻止するためと、抑制開始電圧設定のためのダイオード１３、１４を介して接続されている。
【００２９】
図４はこの飽和抑制用の負荷ＲＬを有するクリップ回路２のクリップ性能を、図５に示す飽和抑制用の負荷を持たない帰還型クリップ回路２Ａと比較した結果を示す図である。
【００３０】
ここで、波形４３ａ、４３ｂは図４に示す飽和抑制用の負荷を持たない帰還型クリップ回路２Ａのクリップ後の波形とオペアンプ１１Ａの出力波形、波形４１ａ、４１ｂは本実施形態のクリップ回路２において負荷ＲＬを０Ωとした場合のクリップ後の波形とオペアンプ１１の出力波形、そして、波形４２ａ、４２ｂは同じく本実施形態のクリップ回路２において負荷ＲＬを有限値とした場合のクリップ後の波形とオペアンプ１１の出力波形である。このように、クリップオフからクリップオンまでのクリップ遅延時間は、飽和抑制用の負荷ＲＬを持たないもの、負荷ＲＬを有限値としたもの、負荷ＲＬを０Ωとしたもの順で短くなることが分かる。
【００３１】
なお、図３に示すクリップ回路２は、再生ＲＦ信号のボトムよりマイナス側に落ち込んだ信号などに対してクリップを行うものであるが、ホワイトスポットなど再生ＲＦ信号のピークよりプラス側に突き出た信号などに対してクリップを行うクリップ回路も同様に構成することが可能である。
【００３２】
図６は、このホワイトスポットなど再生ＲＦ信号のピークよりプラス側に突き出た信号などに対してクリップを行うクリップ回路２２の構成を示す図である。このクリップ回路２２において、オペアンプ３１の非反転入力には、ＡＧＣアンプ１の出力である再生ＲＦ信号が抵抗Ｒｓを介して接続され、反転入力には基準レベル（ＲＥＦレベル）が接続されている。オペアンプ３１の出力はクリップ・ダイオード３２を介してオペアンプ３１の非反転入力に帰還し得るように接続されている。したがって、このクリップ回路２２では、入力信号のレベルが基準レベル（ＲＥＦレベル）より高くなると、クリップ・ダイオード３２が導通して帰還がかかり、入力信号に対して基準レベルでのクリップが行われる。また、このクリップ回路２２においても、オペアンプ３１の出力には、オペアンプ３１に帰還がかからない期間でのオペアンプ３１の飽和を抑制するように働く負荷ＲＬが、この負荷ＲＬへの帰還信号の流れ込みを阻止するためと、抑制開始電圧設定のためのダイオード３３、３４を介して接続されている。
【００３３】
ところで、オペアンプ１１の負荷ＲＬの選定によってクリップ遅延時間を調整可能であることの理由は以下の通りである。図７はオペアンプ１１の等価回路を示している。このオペアンプ１１において、終段のトランジスタＴｒ１，Ｔｒ２が定電流でドライブされていると、振幅が大きくなってスルーレートが低下し、更に大きくすると飽和し復帰が遅くなる。負荷ＲＬを大きくすると、トランジスタＴｒ１，Ｔｒ２がドライブできなくなって振幅が低下し、その分飽和が浅くなって復帰時間が短くなる。
【００３４】
図８は負荷ＲＬの選定により、クリップの遅延時間をデータの最長波長である８Ｔ（１２１ｎｓ）の約１／２から８Ｔ以上の範囲で可変できることを示した図である。ここで、波形６１ａ、６１ｂは負荷ＲＬを０Ωとしたときのクリップ後の信号とオペアンプ１１の出力波形であり、このときクリップ遅延時間はデータの最長波長である８Ｔ（１２１ｎｓ）の約１／２である６０ｎｓとなる。また、波形６２ａ、６２ｂは負荷ＲＬを１００Ωとしたときのクリップ後の信号とオペアンプ１１の出力波形であり、このときクリップの遅延時間はデータの最長波長である８Ｔ（１２１ｎｓ）より長い１４０ｎｓとなることを確認できた。
【００３５】
図９はクリップ遅延時間を８Ｔ未満の範囲で選定可能なクリップレベルを示す図である。このように、クリップ遅延時間が８Ｔ未満の範囲でならば、再生ＲＦ信号のボトムよりも低いレベル（ＲＥＦレベル１，ＲＥＦレベル２，ＲＥＦレベル３）でクリップを行うことができる。また、これは再生ＲＦ信号のピークよりも高いレベルでも同様である。さらに、図１０に示すように、クリップ遅延時間を８Ｔ以上とした場合には、再生ＲＦ信号のピークとボトムとの間のレベル（ＲＥＦレベル４）でクリップを行うことが可能である。
【００３６】
次に、ホワイトスポットのあるディスクを再生したときの本実施形態のクリップ回路２の動作を説明する。
【００３７】
図１１はホワイトスポット部（ＷＳ）の再生ＲＦ信号の波形の例を示している。再生ＲＦ信号の平均レベルが１５０ｍＶｐ−ｐの場合、ホワイトスポット部（ＷＳ）の平均レベルはおよそ５００ｍＶにもなる。また、ホワイトスポット部（ＷＳ）のＴｒおよびＴｆは約１００ｎｓと早く、長さは最大１００μｍΦにも及ぶ。
【００３８】
図１２はホワイトスポット部でのクリップ回路２の出力信号波形を入力信号波形と比較して示した図である。ここで、上の波形１０１がクリップ回路２への入力信号波形、下の波形１０２がクリップ回路２の出力信号波形である。クリップ遅延時間は１２５ｎｓ、クリップレベルは再生ＲＦ信号のピークレベルとした。この条件ではワイトスポット部のＴｒはクリップ遅延時間より短いため、ホワイトスポット部の立ち上りの信号がクリップされずに残るものの、その幅は数十ｎｓ程度と狭く、その影響は無視できる程度に小さい。
【００３９】
図１３は縦軸をＬＤＣエラー数、横軸を測定回数として、ホワイトスポットがあるＲＵＢの再生ＬＤＣ（Ｌｏｎｇ  Ｄｉｓｔａｎｃｅ  Ｃｏｄｅ）エラー特性を示した図である。このように、再生ＲＦ信号のピークレベルでのクリップをクリップレベル１００％とすると、クリップレベルが１２０％以下ではＬＤＣエラー数が４０個程度と少なく、安定することが分かる。
【００４０】
図１４は図１３の特定のＲＵＢで横軸をクリップレベルとして再生ＬＤＣエラー特性を示した図である。クリップ遅延時間がゼロの場合、クリップレベルが１００％以下ではＲＦ信号もクリップされてしまい、急激にＬＤＣエラー数が増加するが、適当なクリップ遅延時間を設けることで、クリップレベルが８０％でも、おおきな変化は無くなることが分かる。
【００４１】
図１５は図２のディフェクト処理回路１１０におけるＡＧＣ回路１およびクリップ回路２の実現回路の例を示す図である。
【００４２】
以上説明したように、この実施形態によれば、クリップ回路２のオペアンプ１１の出力に、オペアンプ１１に帰還がかからない期間でのオペアンプ１１の飽和を抑制するように働く負荷ＲＬを接続したことで、オペアンプ１１の飽和による遅延を解消できるとともに、クリップレベルを高い自由度で設定でき、ディフェクト部の信号波形を安定してクリップすることができる。また、クリップ遅延時間を８Ｔ以上とした場合には、再生ＲＦ信号のピークとボトムとの間のレベルでクリップを行うことが可能となる。
【００４３】
なお、本発明は上記実施の形態に限定されることなく、その要旨を逸脱しない範囲において、具体的な構成、機能、作用、効果において、他の種々の形態によっても実施することができる。
【００４４】
本実施形態で説明したクリップ回路２は、図２に示した構成を有するディフェクト処理回路１１０に適用されることに限定されず、その他様々な構成および目的の信号処理回路に適用し得るものである。
【図面の簡単な説明】
【００４５】
【図１】本発明の一実施の形態に係る光ディスク装置の構成を示すブロック図である。
【図２】図１の光ディスク装置のディフェクト処理回路の構成を示す図である。
【図３】図２のディフェクト処理回路１１０におけるクリップ回路２の構成を示す図である。
【図４】図３のクリップ回路のクリップ性能を示す図である。
【図５】飽和抑制用の負荷を持たない帰還型クリップ回路の構成を示す図である。
【図６】再生ＲＦ信号のピークよりプラス側に突き出た信号などに対してクリップを行うクリップ回路の構成を示す図である。
【図７】図３のクリップ回路のオペアンプの等価回路を示す図である。
【図８】図３のクリップ回路の負荷とクリップ遅延時間との関係を示す図である。
【図９】図３のクリップ回路のクリップ遅延時間を８Ｔ未満の範囲で選定可能なクリップレベルを示す図である。
【図１０】図３のクリップ回路のクリップ遅延時間を８Ｔ以上とした場合の信号波形を示す図である。
【図１１】ホワイトスポット部の再生ＲＦ信号の波形の例を示す図である。
【図１２】ホワイトスポット部でのクリップ回路の出力信号波形を入力信号波形と比較して示した図である。
【図１３】ホワイトスポットがあるＲＵＢの再生ＬＤＣエラー特性を示した図である。
【図１４】横軸をクリップレベルとして再生ＬＤＣエラー特性を示した図である。
【図１５】図２のディフェクト処理回路におけるＡＧＣアンプおよびクリップ回路の実現回路の例を示す図である。
【図１６】従来の帰還型クリップ回路を示す図である。
【図１７】従来のダイオード・クリップ回路を示す図である。
【図１８】従来のトランジスタ・クリップ回路を示す図である。
【図１９】差動トランジスタの飽和特性を利用したクリップ回路を示す図である。
【図２０】差動トランジスタの飽和特性を利用した他のクリップ回路を示す図である。
【符号の説明】
【００４６】
１      ＡＧＣアンプ
２      クリップ回路
１１      オペアンプ
１２      クリップ・ダイオード
ＲＬ      負荷
１０１      光ディスク装置
１０２      光ディスク
１０９      プリアンプ
１１０      ディフェクト処理回路
【図１】
2006114075.tif 000003
【図２】
2006114075.tif 000004
【図３】
2006114075.tif 000005
【図４】
2006114075.tif 000006
【図５】
2006114075.tif 000007
【図６】
2006114075.tif 000008
【図７】
2006114075.tif 000009
【図８】
2006114075.tif 000010
【図９】
2006114075.tif 000011
【図１０】
2006114075.tif 000012
【図１１】
2006114075.tif 000013
【図１２】
2006114075.tif 000014
【図１３】
2006114075.tif 000015
【図１４】
2006114075.tif 000016
【図１５】
2006114075.tif 000017
【図１６】
2006114075.tif 000018
【図１７】
2006114075.tif 000019
【図１８】
2006114075.tif 000020
【図１９】
2006114075.tif 000021
【図２０】
2006114075.tif 000022